(57)【要約】【課題】導体が細いサイズであっても自立させることができ、軽量で、設置作業が容易であり、低コストな自立型乾式終端接続部を提供すること。【解決手段】端子部２ａを有する金属ロッド棒２の周りに、シリコーンゴム等の可撓性を有する絶縁層３が設けられ、絶縁層３の周囲には、外部導電層５が形成され、内層側の一部に同軸状に内部導電層４が形成される。ロッド棒２は上記絶縁層３内を貫通し、導体接続部７でケーブル８のケーブル導体８ａと接続されており、該導体接続部７は、上記内部導電層４の内側に位置する。外部導電層５が設けられた部分（内部導電層４の外周）は、支持金具６により把持される。上記自立型終端接続部は、絶縁層３を拡径保持部材により拡径保持し、該拡径支持部材を除去してロッド棒２とケーブル８の絶縁体上に密着被覆させることにより容易に組み立てることができる。【選択図】　　　　　図１
2004040946.tif 000002
【特許請求の範囲】
【請求項１】
金属ロッド棒と、該金属ロッド棒のまわりに収縮被覆された可撓性をもつ絶縁層とを有し、ケーブルに接続するための接続手段とを備えた自立型乾式終端接続部であって、
上記絶縁層は、外部導電層と、この外部導電層と同軸状の絶縁層の内層側の一部に同軸状に内部導電層を有し、
上記絶縁層の外部導電層が設けられた部分であって、上記内部導電層外側に終端接続部を支持するための支持構造体が取り付けられ、
ケーブル導体と上記金属ロッド棒との接続部分は、上記支持構造体の内側に設けられた内部導電層の内側に位置する
ことを特徴とする自立型乾式終端接続部。
【請求項２】
上記絶縁層は、環境に対する抵抗性を有する材料からなる
ことを特徴とする請求項１の自立型乾式終端接続部。
【請求項３】
請求項１，２に記載の自立型乾式終端部の製造方法であって、
上記絶縁層は、拡径用支持部材上に拡径状態で支持され、ケーブル導体を接続する前に、ケーブル側、あるいは、金属ロッド棒が上記拡径状態に支持された絶縁層内に仮挿入され、
導電性要素の端部とケーブル導体を接続後に、内部導電層が、金属ロッド棒の端部を覆う位置にくるように位置決めし、上記拡径用支持部材を除去して、上記絶縁層を金属ロッド棒とケーブル絶縁体上に密着被覆される
ことを特徴とする自立型乾式終端接続部の製造方法。
【発明の詳細な説明】
【０００１】
【発明の属する技術分野】
本発明は、配電用あるいは、超高圧電気ケーブル用の自立型乾式終端接続部に関し、特に空気及び汚損媒体に露出された環境で使用するに好適な自立型乾式終端接続部およびその製造方法に関するものである。
【０００２】
【従来の技術】
変電所内などに設置する気中終端接続部は、架空線や機器に接続する端子金具が大きくその重量が大きいこと、台風時の風圧荷重が大きいこと、塩害や、工業汚損など、環境に対する高い抵抗性が要求されることから、従来、自立型端末として、磁器碍管や、シリコーンゴムを被覆したシリコーンゴム製複合碍管が使用されてきた。
図３、図４に磁器碍管を用いた終端接続部の例を示す。磁器碍管を用いた終端接続部は、同図に示すように、碍管１０の内部を導体１１が貫通し、上端に端子１２や導体引き出し棒が設けられ、下端からケーブル１４を引き出したものであり、碍管１０には支持金具１３が取付けられる。
上記磁器碍管を用いた終端接続部は、重量が重く、設置作業が容易でないという問題点を有している。
【０００３】
一方、常温収縮型などの絶縁層で絶縁被覆した終端接続部が使用されているが、この種の終端接続部は、ケーブル導体が細いサイズであり、端子部の重量が大きい場合には、接続部が湾曲してしまい自立させることが出来ない。
図５に上記常温収縮型などの絶縁層で絶縁被覆した終端接続部の構成例を示す。
同図（ａ）に示すように、架空電線路またはその他の電気装置に接続するための端子２１に直接ケーブル導体２２を圧縮接続などで接続し、この端子２１のバレル部から、ケーブル絶縁体２３上をケーブルシース上まで、ゴム製の差込み型あるいは、常温収縮型などの絶縁層（端末本体）２４で絶縁被覆したものである。
上記絶縁層２４は例えば、同図（ｂ）に示すように、拡径保持部材２５により拡径状態で保持され、拡径保持部材２５により拡径された絶縁層２４内にケーブルを挿入し、端子２１をケーブル導体２６に接続した後、拡径保持部材２５を除去することにより、絶縁層２４を収縮させてケーブルを密着被覆する。
図５に示すものは、絶縁層２４の内部をケーブルが貫通しており、絶縁層２４は可撓性のあるゴム等で形成されているため、前記したようにケーブル導体が細いサイズであり、端子部の重量が大きい場合等には、終端接続部が湾曲してしまい自立型端末として使用することができない。
【０００４】
【発明が解決しようとする課題】
図５に示した、常温収縮型などの接続体で絶縁被覆した従来の終端接続部は、端子部の重量が大きい場合には、上記したように接続部が湾曲してしまい自立させることが出来ない。
一方、特表２００１−５１９１３８号公報（「電気ケーブル用の乾式終端装置」）には、可撓性のある絶縁材を用いた自立型の終端接続部が提案されている。
上記公報に記載されるものは、笠構造を有する絶縁部分、外部支持構造への固定部分及び電気ケーブルとの接続部分が全て別で、長さ方向に配置されており、構造が複雑で、設置スペースの制約されている場所では適用が難しい。
また、構造が大きい分重量も大きく、柱上組立作業などには、不向きであり適用性が小さいという問題点がある。
本発明は、上記従来技術の問題点を解決するためになされたものであって、本発明の目的は、導体が細いサイズであっても自立させることができ、軽量で、設置作業が容易であり、低コストな自立型乾式終端接続部を提供することである。
【０００５】
【課題を解決するための手段】
本発明においては、以下のようにして前記課題を解決する。
（１）金属ロッド棒と、該金属ロッド棒のまわりに収縮被覆された可撓性をもつ絶縁層とを有し、ケーブルに接続するための接続手段とを備えた自立型乾式終端接続部において、上記絶縁層に、外部導電層と、この外部導電層と同軸状の絶縁層の内層側の一部に同軸状に内部導電層を設け、絶縁層の外部導電層が設けられた部分であって、上記内部導電層外側に終端接続部を支持するための支持構造体を取り付け、ケーブル導体と上記金属ロッド棒との接続部分が、上記支持構造体の内側に設けられた内部導電層の内側に位置するように構成する。
（２）上記（１）において、上記絶縁層の材料として、環境に対する抵抗性を有する材料を用いる。
上記（１）〜（２）の自立型乾式終端接続部は以下のように製造される。
（ａ）　絶縁層を、拡径用支持部材上に拡径状態で支持し、ケーブル導体を接続する前に、ケーブル側、あるいは、金属ロッド棒を、上記拡径状態に支持された絶縁層内に仮挿入する。
（ｂ）　導電性要素の端部とケーブル導体を接続する。
（ｃ）　内部導電層が、金属ロッド棒の端部を覆う位置にくるように位置決めし、上記拡径用支持部材を除去して、上記絶縁層を金属ロッド棒とケーブル絶縁体上に密着被覆する。
本発明の終端接続部は、上記のように、支持金具の上側部分は、剛直なロッド捧を有する構造であり、導体サイズが細い場合であっても、自立させることができる。また、笠部や内外導電層等を含むゴム製絶縁体が単一構造体であり、且つ金属ロッド棒と別体であることから、製造、現場取付けが容易であり、低コスト化を図ることができる。
【０００６】
【発明の実施の形態】
図１に本発明の実施例の自立型乾式終端接続部の構造を示す。同図の右側半分は、断面構造を示し、左側半分は外観を示したものである。
同図において、１は自立型乾式終端接続部本体であり、架空線や機器等に接続される端子部２ａを有する金属ロッド棒２の周りに、可撓性を有するゴム製の絶縁層３を設けたものである。ゴム材としては、シリコーンゴムやエチレン・プロピレンゴムを使用することができ、特に、シリコーンゴムは、溌水性が高く、環境に対する抵抗性が高いものが得やすいので、上記絶縁層３に用いるのに好適である。
絶縁層３の上部の周囲には笠３ａが設けられ、下部は、笠３ａを有しない絶縁筒構造であり、笠が設けられた笠構造部Ａと絶縁筒構造部Ｂは一体で形成されている。
そして、笠構造部Ａと絶縁筒構造部Ｂがつながる部分には、外部導電層５が形成され、外部導電層５の笠構造部Ａにつながる端部は、滑らかに電気力線が広がる電界緩和形状となっている。
【０００７】
上記外部導電層５と同軸状の絶縁層の内層側の一部に同軸状に内部導電層４が設けられ、上記笠構造部Ａは終端接続部本体の長さ方向全長の半分以上を占めている。
ロッド棒２は上記絶縁層３内を貫通し、導体接続部７でケーブル８のケーブル導体８ａと接続されており、該導体接続部７は、上記内部導電層４の内側に位置する。
上記外部導電層５が設けられた部分（内部導電層４の外周）は、支持金具６により把持される。
本実施例の終端接続部は、上記のように、ロッド棒２とケーブル導体８ａとの導体接続部７の外周の絶縁層３を支持金具６で把持するものであり、支持金具６の上側部分は、剛直な金属ロッド捧２を有する構造であることから、架空電線や、電気機器と接続される側のロッド棒の先端側の端子部２ａに重量の大きい端子や、金具を接続しても、ロッド棒２の部分は、剛直性を有しているため、湾曲して、近接している他相に影響を及ぼす心配が無い。
【０００８】
本実施例の終端接続部の組み立ては次のように行われる。
あらかじめ、図２に示すように、拡径保持部材９により、外部導電層５、内部導電層４が形成された絶縁層３を拡径状態に保持しておく。
ついで、ケーブル導体８ａを接続する前に、ケーブル側、あるいは、ロッド棒２を図２に示す拡径支持部材９で拡径された絶縁層３内に挿入する。
ついで、ロッド棒２とケーブル導体８ａを圧縮接続等で接続して、目視確認等を行い、内部導電層４が、金属ロッド棒２の端部を覆う位置にくるように位置決めしたのち、上記拡径用支持部材９を除去して絶縁層３を収縮させ、上記金属ロッド棒とケーブルの絶縁体上に密着被覆させる。
【０００９】
ついで、支持金具６を絶縁層３の外部導電層５の位置に取付け、支持金具６を締めつけて、支持金具６により絶縁層３を把持する。
本実施例の終端接続部は上記構造であるので、自立型乾式終端接続部を、変電所内等に比較的簡単な作業で、設置することができる。また、従来の磁器碍管や、シリコーンゴムを被覆したシリコーンゴム製複合碍管と比較して、コンパクトであるとともに、乾式で、軽量であると言う利点がある。
【００１０】
【発明の効果】
以上説明したように本発明においては、以下の効果を得ることができる。
（１）支持金具の上側部分は、剛直なロッド捧を有する構造であるから、導体サイズが細い場合であっても、自立させることができる。
（２）終端接続部全体にわたって、笠部や内外導電層等を含むゴム製絶縁体が単一構造体であり、且つ金属ロッド棒と別体であることから、製造、現場取付けが容易であり、低コストになる。また、従来の一般の非自立型の終端接続部と同等以下の長さにすることができる。
（３）従来の自立型の磁器製終端接続部と比較して、軽量で、柱上作業が容易であり、変電所内などで使用される自立型気中終端接続部として使用することができ、従来の磁器碍管終端接続部等と比較して、コンパクト、軽量であり、且つ設置作業性にすぐれている。
【図面の簡単な説明】
【図１】本発明の実施例の自立型乾式終端接続部の構造を示す図である。
【図２】絶縁層を拡径支持部材で拡径した状態を示す図である。
【図３】従来の磁器碍管を用いた自立型終端接続部の構成例（１）を示す図である。
【図４】従来の磁器碍管を用いた自立型終端接続部の構成例（２）を示す図である。
【図５】常温収縮型などの絶縁層で絶縁被覆した終端接続部の構成例を示す図である。
【符号の説明】
１　　自立型乾式終端接続部
２　　ロッド棒
２ａ　端子部
３　　絶縁層
３ａ　笠
４　　内部導電層
５　　外部導電層
６　　支持金具
７　　導体接続部
８　　ケーブル
８ａ　ケーブル導体
９　　拡径支持材
【図１】
2004040946.tif 000003
【図２】
2004040946.tif 000004
【図３】
2004040946.tif 000005
【図４】
2004040946.tif 000006
【図５】
2004040946.tif 000007